(57)【要約】【課題】意匠性に優れた立体形状の表示パネルを、コストを抑えて作成すること。【解決手段】透明又は半透明の樹脂部材によって、底面部と前記底面部から突出する突出部とを形成する段階と、前記突出部のうち表示対象となる表示部にマスキング層を形成する段階と、前記樹脂部材の表面側を覆うように光を透さない非透過層を形成する段階と、前記表示部の前記マスキング層を除去する段階と、前記表示部に対して、ハーフ蒸着箔の箔押しを行うことで箔押し層を形成する段階と、を有し、前記突出部を形成する際、前記表示部の裏側には樹脂を充填して表示樹脂部を形成し、前記表示部以外の裏側の一部又は全部には溝部を形成することを特徴とする。【選択図】図２
2009157315.tif 000002
【特許請求の範囲】
【請求項１】
透明又は半透明の樹脂部材によって、底面部と前記底面部から突出する突出部とを形成する段階と、
前記突出部のうち表示対象となる表示部にマスキング層を形成する段階と、
前記樹脂部材の表面側を覆うように光を透さない非透過層を形成する段階と、
前記表示部の前記マスキング層を除去する段階と、
前記表示部に対して、ハーフ蒸着箔の箔押しを行うことで箔押し層を形成する段階と、を有し、
前記突出部を形成する際、
前記表示部の裏側には樹脂を充填して表示樹脂部を形成し、
前記表示部以外の裏側の一部又は全部には溝部を形成することを特徴とする表示パネルの製造方法。
【請求項２】
請求項１に記載の表示パネルの製造方法によって製造され、
前記底面部と前記表示部以外の前記突出部の表面に形成される前記非透過層と、
前記表示部の表面に形成される前記箔押し層と、
前記突出部の裏面側に形成される前記表示樹脂部及び前記溝部と、
を有することを特徴とする表示パネル。
【発明の詳細な説明】
【技術分野】
【０００１】
本発明は、光を透して発光可能な表示パネル及びその製造方法に関し、特に立体的な表示パネル及びその製造方法に関する。
【背景技術】
【０００２】
従来、光を透す透明な樹脂部材の表面の文字部以外の部分を覆うことで、光がついた時に前記文字が発光する表示パネルがある（例えば、特許文献１参照）。また、特許文献１のように平面状の表示パネルのみならず、文字部が突出するように立体的な形状の透明樹脂部材を用いて構成された表示パネルがある（例えば、特許文献２参照）。
【０００３】
【特許文献１】特開２００５−３０９１９８
【特許文献２】特開２００３−０５０５５５
【発明の開示】
【発明が解決しようとする課題】
【０００４】
しかしながら、このような光を透す表示パネルにおいて、文字部を立体的に構成する場合、マスキング工程や塗装工程という複数の製造工程を経て作成することとなる。ここで、また意匠性に優れたものとし且つよりコストを抑えて作成することが必要となっている。
【０００５】
そこで本発明の目的は、意匠性に優れた立体形状の表示パネルを、コストを抑えて作成することである。
【課題を解決するための手段】
【０００６】
上記目的を達成するための本発明の表示パネルの製造方法は、透明又は半透明の樹脂部材によって、底面部と前記底面部から突出する突出部とを形成する段階と、前記突出部のうち表示対象となる表示部にマスキング層を形成する段階と、前記樹脂部材の表面側を覆うように光を透さない非透過層を形成する段階と、前記表示部の前記マスキング層を除去する段階と、前記表示部に対して、ハーフ蒸着箔の箔押しを行うことで箔押し層を形成する段階と、を有し、前記突出部を形成する際、前記表示部の裏側には樹脂を充填して表示樹脂部を形成し、前記表示部以外の裏側の一部又は全部には溝部を形成することを特徴とする。
【０００７】
また、本発明の表示パネルは、上記表示パネルの製造方法によって製造され、前記底面部と前記表示部以外の前記突出部の表面に形成される前記非透過層と、前記表示部の表面に形成される前記箔押し層と、前記突出部の裏面側に形成される前記表示樹脂層及び前記溝部と、を有することを特徴とする。
【発明の効果】
【０００８】
本発明の表示パネルの製造方法によって表示パネルを構成すれば、表示部は、裏面から光を照射しない場合には金属光沢によって人の目を惹きつけ、光を照射する場合には金属光沢に加えて表面に透過する光で人の目を惹きつける。従って、意匠性に優れたものとなる。また、樹脂部材に突出部を形成する際、表示部の裏面側の表面から最背面まで樹脂を充填した表示樹脂部を形成する、表示樹脂部があることで、箔押しを行う際の圧力に対しても変形しない構成となる。また、突出部を形成する際、表示部の裏側には樹脂を充填して表示樹脂部を形成し、表示部以外の裏側の一部又は全部には溝部を形成する構成のため、突出部の形状の変形を防ぐことができる。
【０００９】
従って、表示部が平滑になって意匠性に優れる。また変形を防ぐことができるため、より確実に良品を得ることができ、歩留まりがよくなるため、全体的なコストを抑えて作成することができる。
【発明を実施するための最良の形態】
【００１０】
図を用いて本発明の実施形態を説明する。
【００１１】
〔表示パネル１の構成〕
図１を用いて表示パネル１の構成を説明する。図１は表示パネル１の構成を示す図である。（ａ）が表示パネル１の斜視図であり、（ｂ）は（ａ）におけるＡ−Ａ断面図である。図１（ｂ）は、表示パネル１の背面からの光が表面へと透る状態を示している。
【００１２】
図１（ａ）に示すように、表示パネル１は、底面部１０と、底面部１０から表示対象となるロゴの形状に前面に突出した突出部２０との各部から構成される。また、突出部２０は、裏面から照射される光を透し且つ表示対象となる表示部２１と、表示部２１を前面側に突出させるために突出し且つ表示対象とならない突出側部２２との各部から構成される。
【００１３】
図１（ｂ）に示すように、本実施形態の立体的な表示パネル１は、透明又は半透明の樹脂部材３０から構成される。そして、表示部２１が、透明又は半透明の箔押し層４０によって形成される。また、表示部２１以外の底面部１０と突出側部２２が、不透明な塗料によって非透過層５０として形成される。このような構成により、図１（ｂ）に示すように、表示パネル１の裏面から照射される光Ｌ１を照射すると、光を透過する表示部２１のみから光Ｌ２が発せられることとなる。
【００１４】
本実施形態においては、表示部２１は金属光沢のある箔押し層４０によって形成される。これにより、光Ｌ１を照射しない場合であっても、表面から見たときに、表示部２１には金属光沢が見える。
【００１５】
ここで、表示部２１の箔押し層４０は裏面からの光を透過するハーフ蒸着層にて形成される。本実施形態においては、ハーフ蒸着層に加えてヘアーラインが入っている。このヘアーラインが入っていることで、更に意匠性に優れたものとなる。
【００１６】
このように構成したことにより、表示部２１は、光を照射しない場合には金属光沢によって人の目を惹きつけ、光を照射する場合には金属光沢に加えて光Ｌ２で人の目を惹きつける。従って、表示性に加え意匠性の高い表示パネル１となる。
【００１７】
また、前述のように、突出部２０のうち、表示対象の表示部２１のみから光Ｌ２が発せられ、突出側部２２からは光が発せられない。このため、従来の構成（例えば、特許文献２）と比べて、より明確に表示部２１の内容を表示することができる。
【００１８】
図２を用いて、突出部２０の裏側の樹脂部材３０の形状を説明する。図２は表示パネル１の基材となる樹脂部材３０の形状を示す図である。（ａ）が正面図であり、（ｂ）が（ａ）におけるＢ−Ｂ断面図であり、（ｃ）が裏面図である。
【００１９】
図２（ａ）及び（ｂ）に示すように、突出部２０には、表示部２１と突出側部２２の他、表示部２１以外の非表示部２３とが形成される。このように突出部２０は、表示部２１と非表示部２３との濃淡により、表示部２１を際立たせ、表示模様を形成する。
【００２０】
また、図２（ｂ）及び図２（ｃ）に示すように、突出部２０の基材となる樹脂部材３０は、表示部２１を形成する表示樹脂部３１と、突出部２０裏面の境界線３２よりも内側で、表示部２１を除いた非表示部２３の裏面に位置する溝部３３と、から構成される。尚、境界線３２は、図２（ｃ）に示すように、突出側部２２の鉛直下方に位置し、底面部１０の裏面にある樹脂と、突出部２０の裏面にある樹脂との境界となる仮想の線である。この境界線３２の内側を表面側から見た時、表示部２１と非表示部２３とにより構成される表示模様が形成されることとなる。
【００２１】
このように、本実施形態においては、突出部２０の裏側の樹脂部材３０は、表示模様の外周の裏面に位置する境界線３２より内側で、且つ表示樹脂部３１を除いた部分、即ち非表示部２３の裏側に当たる部分に溝部３３を形成した。本実施形態のロゴの表示模様においては、図２（ｃ）に示すように、境界線３２の内側で、ロゴ部分以外（表示部以外）の裏側部分に溝部３３が形成されている。
【００２２】
〔表示パネル１の製造方法〕
図３を用いて表示パネル１の製造方法を説明する。図３は表示パネル１の製造手順を説明する図である。
【００２３】
図３（ａ）に示すように、まず、光を透す樹脂部材３０を成形する（成形段階）。成形時においては、底面部１０と底面部１０から立ち上がる突出部２０とを有するように構成する。ここで、樹脂部材３０は、図２（ｃ）で示したように、表示部２１の裏面側には、表面から最背面まで表示樹脂部３１が存在する一方、底面部１０と突出部２０との境界線３２の内側で、表示樹脂部３１以外の部分に溝部３３が形成されるように成形される。
【００２４】
尚、溝部３３を形成する範囲は、必ずしも表示樹脂部３１以外の全部でなくともよい。例えば、境界線３２の内側で、表示部２１の裏側の一部（図２（ｃ）における樹脂部３４）やロゴとロゴの間（図２（ｃ）における樹脂部３５）に樹脂があるようにしてもよい。溝部３３は、成形品の成形時、突出部２０のひけや変形を防止するためのものである。このため、この目的を達成するために、境界線３２の内部の溝部３３の大きさは成形品の状態に応じて適宜変更することができる。但し、表示部２１の裏側に位置する箇所には、表示樹脂部３１が必ず形成されている。
【００２５】
図３（ｂ）に示すように、次に、表示対象となる表示部２１のみに、塗装が付着しないようにマスキング層６０を形成する（マスキング段階）。
【００２６】
図３（ｃ）に示すように、不透明な塗膜を樹脂部材３０の上面から全体的に形成する。これにより、樹脂部材３０の表面側は、光を透さない非透過層５０で覆われることとなる（非透過層形成段階）。
【００２７】
図３（ｄ）に示すように、表示部２１に形成したマスキング層６０を、その上に形成された非透過層５０と共に除去する（マスキング除去段階）。これにより、表示部２１は樹脂部材３０が露出することとなる。
【００２８】
図３（ｅ）に示すように、最後に、樹脂部材３０が露出した表示部２１に対し、金属光沢を有するハーフ蒸着箔の箔押しを行う（箔押し段階）。これにより、表示部２１に箔押し層４０が形成される。
【００２９】
ここで、表示部２１に形成された箔押し層４０は、光をわずかに透過する性質を持つハーフ蒸着箔の層である。ハーフ蒸着箔は表面から観察した場合は表面側の光を反射して銀色に見える。一方、ハーフ蒸着箔の裏面より光を照射すると、その光が表面側へ透過する。このようにして、表面側から見た表示部２１は金属光沢を有し、且つ裏面側から照射された光を表面側に透過することとなる。これにより、意匠性に優れるものとなる。
【００３０】
ここで、従来の構成においては、透明又は半透明の樹脂部材に突出部を形成する際、前述のように表示部の下方に樹脂部材がないように、即ち中空となるように構成していた。しかしながら、この状態で表示部に対して箔押しを行うと、箔押し時の加圧力により、冷却後の樹脂部材が変形してしまい、表示部が平らにならない場合があった。すると、不良品となるおそれが高くなり、材料の歩留まりが悪くなってコストがかかるという問題があった。
【００３１】
本実施形態においては、透明又は半透明の樹脂部材３０に突出部２０を形成する際、樹脂部材３０が表示部２１の裏面側に存在する。このため、箔押し層４０を形成する過程において、圧力を加えたとしても圧力に耐えることができる。従って、表示部２１が平滑になって意匠性にも優れ、確実に良品を製造することができる。
【００３２】
また、本実施形態においては、樹脂部材３０の成形時、図２（ｃ）に示すように、境界線３２の内部において、表示樹脂部３１以外に溝部３３が存在するように成形する。これは、表示樹脂部３１以外の全てを樹脂部材で満たしてしまうと、樹脂の冷却時に変形が生じるなど、表示部２１表面や突出側部２２の平滑度を保つことが難しくなる。このため、樹脂部材３０の表示樹脂部３１以外の一部を溝部３３とすることで、変形を防き、表示部２１表面や突出側部２２の平滑度を保つ。
【００３３】
このように、樹脂部材３０の変形を防いで確実に良品を製造することで、不良品の発生を防ぎ、歩留まりを高くし、全体的なコストを低くすることができる。
【産業上の利用可能性】
【００３４】
本発明は、光を透して発光可能な表示パネル及びその製造方法に関し、特に立体的な表示パネル及びその製造方法に利用することができる。
【図面の簡単な説明】
【００３５】
【図１】表示パネル１の構成を示す図。
【図２】表示パネル１の基材となる樹脂部材３０の形状を示す図。
【図３】表示パネル１の製造手順を説明する図。
【符号の説明】
【００３６】
Ｌ１…光、Ｌ２…光、１…表示パネル、１０…底面部、２０…突出部、２１…表示部、２２…突出側部、２３…非表示部、３０…樹脂部材、３１…表示樹脂部、３２…境界線、３３…溝部、３４…樹脂部、３５…樹脂部、４０…箔押し層、５０…非透過層、６０…マスキング層
【図１】
2009157315.tif 000003
【図２】
2009157315.tif 000004
【図３】
2009157315.tif 000005